(57)【特許請求の範囲】
【請求項１】
無線通信ネットワーク（１００）のシステム（３００）によって実行される方法であって、前記無線通信ネットワーク（１００）が、無線通信デバイス（１３０）との無線通信のために構成された第１のネットワークノード（１１０）を備え、前記方法は、
前記第１のネットワークノード（１１０）から前記無線通信デバイス（１３０）へのメッセージの送信をトリガすること（４０１）であって、前記メッセージが、前記無線通信ネットワーク（１００）のネットワークノード（１１０；１２０）から前記無線通信デバイス（１３０）によって受信された信号に関する、前記無線通信デバイス（１３０）による測定に関係する命令を備え、前記命令が第１の測定条件と第２の測定条件とを備え、前記無線通信デバイス（１３０）が前記無線通信ネットワーク（１００）に前記測定のうちの少なくとも１つを報告するためには、前記第１の測定条件と前記第２の測定条件の両方が満たされなければならない、メッセージの送信をトリガすること（４０１）を含み、
前記命令が、前記第１の測定条件が満たされたときに第１の測定を報告する命令を備え、前記第２の測定条件が、前記第１の測定が報告された後に前記第１の測定条件が変化したことの検出であり、前記命令が、前記第２の測定条件が満たされたときに第２の測定の報告をトリガする命令を備える、
方法。
【請求項２】
前記第１の測定条件が第１の測定量に関係し、前記第２の測定条件が、前記第１の測定量とは異なる第２の測定量に関係する、請求項１に記載の方法。
【請求項３】
前記第１の測定条件が第１の参照信号タイプに関係し、前記第２の測定条件が、前記第１の参照信号タイプとは異なる第２の参照信号タイプに関係する、請求項１または２に記載の方法。
【請求項４】
前記第１の測定条件がセルレベル測定に関係し、前記第２の測定条件がビームレベル測定情報に関係する、請求項１から３のいずれか一項に記載の方法。
【請求項５】
無線通信ネットワーク（１００）のシステム（３００）であって、前記無線通信ネットワーク（１００）が、無線通信デバイス（１３０）との無線通信のために構成された第１のネットワークノード（１１０）を備え、前記システム（３００）は、
前記第１のネットワークノード（１１０）から前記無線通信デバイス（１３０）へのメッセージの送信をトリガすること（４０１）であって、前記メッセージが、前記無線通信ネットワーク（１００）のネットワークノード（１１０；１２０）から前記無線通信デバイス（１３０）によって受信された信号に関する、前記無線通信デバイス（１３０）による測定に関係する命令を備え、前記命令が第１の測定条件と第２の測定条件とを備え、前記無線通信デバイス（１３０）が前記無線通信ネットワーク（１００）に前記測定のうちの少なくとも１つを報告するためには、前記第１の測定条件と前記第２の測定条件の両方が満たされなければならない、メッセージの送信をトリガすること（４０１）
を行うように設定され、
前記命令が、前記第１の測定条件が満たされたときに第１の測定を報告する命令を備え、前記第２の測定条件が、前記第１の測定が報告された後に前記第１の測定条件が変化したことの検出であり、前記命令が、前記第２の測定条件が満たされたときに第２の測定の報告をトリガする命令を備える、
システム（３００）。
【請求項６】
前記第１の測定条件が第１の測定量に関係し、前記第２の測定条件が、前記第１の測定量とは異なる第２の測定量に関係する、請求項５に記載のシステム（３００）。
【請求項７】
前記第１の測定条件が第１の参照信号タイプに関係し、前記第２の測定条件が、前記第１の参照信号タイプとは異なる第２の参照信号タイプに関係する、請求項５または６に記載のシステム（３００）。
【請求項８】
前記第１の測定条件がセルレベル測定に関係し、前記第２の測定条件がビームレベル測定情報に関係する、請求項５から７のいずれか一項に記載のシステム（３００）。
【請求項９】
前記システム（３００）が前記無線通信ネットワーク（１００）のネットワークノード（１２０；１３０）である、請求項５から８のいずれか一項に記載のシステム（３００）。
【請求項１０】
無線通信ネットワーク（１００）の第１のネットワークノード（１１０）に無線で接続された無線通信デバイス（１３０）によって実行される方法であって、前記方法は、
前記第１のネットワークノード（１１０）からメッセージを受信すること（２０２；５０１）であって、前記メッセージが、前記無線通信ネットワーク（１００）のネットワークノード（１１０、１２０）から前記無線通信デバイス（１３０）によって受信された信号に関する、前記無線通信デバイス（１３０）による少なくとも１つの測定に関係する命令を備え、前記命令が第１の測定条件と第２の測定条件とを備え、前記無線通信デバイス（１３０）が前記無線通信ネットワーク（１００）に前記少なくとも１つの測定を報告するためには、前記第１の測定条件と前記第２の測定条件の両方が満たされなければならない、メッセージを受信すること（２０２；５０１）と、
前記ネットワークノード（１１０；１２０）から受信された前記信号に関する、前記少なくとも１つの測定を実行すること（５０２）と、
前記少なくとも１つの測定が前記第１の測定条件と前記第２の測定条件とを満たすかどうかに基づいて、前記無線通信ネットワーク（１００）に前記少なくとも１つの測定を報告すること（５０３）と
を含み、
前記命令が、前記第１の測定条件が満たされたときに第１の測定を報告する命令を備え、前記第２の測定条件が、前記第１の測定が報告された後に前記第１の測定条件が変化したことの検出であり、前記命令が、前記第２の測定条件が満たされたときに第２の測定の報告をトリガする命令を備える、
方法。
【請求項１１】
前記第１の測定条件が第１の測定量に関係し、前記第２の測定条件が、前記第１の測定量とは異なる第２の測定量に関係する、請求項１０に記載の方法。
【請求項１２】
前記第１の測定条件が第１の参照信号タイプに関係し、前記第２の測定条件が、前記第１の参照信号タイプとは異なる第２の参照信号タイプに関係する、請求項１０または１１に記載の方法。
【請求項１３】
前記第１の測定条件がセルレベル測定に関係し、前記第２の測定条件がビームレベル測定情報に関係する、請求項１０から１２のいずれか一項に記載の方法。
【請求項１４】
無線通信ネットワーク（１００）の第１のネットワークノード（１１０）に無線で接続するように設定された無線通信デバイス（１３０）であって、前記無線通信デバイス（１３０）は、
前記第１のネットワークノード（１１０）からメッセージを受信すること（５０１）であって、前記メッセージが、前記無線通信ネットワーク（１００）のネットワークノード（１１０；１２０）から前記無線通信デバイス（１３０）によって受信された信号に関する、前記無線通信デバイス（１３０）による少なくとも１つの測定に関係する命令を備え、前記命令が第１の測定条件と第２の測定条件とを備え、前記無線通信デバイス（１３０）が前記無線通信ネットワーク（１００）に前記少なくとも１つの測定を報告するためには、前記第１の測定条件と前記第２の測定条件の両方が満たされなければならない、メッセージを受信すること（５０１）と、
前記ネットワークノード（１１０；１２０）から受信された前記信号に関する、前記少なくとも１つの測定を実行すること（５０２）と、
前記少なくとも１つの測定が前記第１の測定条件と前記第２の測定条件とを満たすかどうかに基づいて前記無線通信ネットワーク（１００）に前記少なくとも１つの測定を報告すること（５０３）と
を行うように設定され、
前記命令が、前記第１の測定条件が満たされたときに第１の測定を報告する命令を備え、前記第２の測定条件が、前記第１の測定が報告された後に前記第１の測定条件が変化したことの検出であり、前記命令が、前記第２の測定条件が満たされたときに第２の測定の報告をトリガする命令を備える、
無線通信デバイス（１３０）。
【請求項１５】
前記第１の測定条件が第１の測定量に関係し、前記第２の測定条件が、前記第１の測定量とは異なる第２の測定量に関係する、請求項１４に載の無線通信デバイス（１３０）。
【請求項１６】
前記第１の測定条件が第１の参照信号タイプに関係し、前記第２の測定条件が、前記第１の参照信号タイプとは異なる第２の参照信号タイプに関係する、請求項１４または１５に記載の無線通信デバイス（１３０）。
【請求項１７】
前記第１の測定条件がセルレベル測定に関係し、前記第２の測定条件がビームレベル測定情報に関係する、請求項１４から１６のいずれか一項に記載の無線通信デバイス（１３０）。
【発明の詳細な説明】
【技術分野】
【０００１】
本明細書の実施形態は、無線通信ネットワークと無線通信デバイスとのシステムなど、方法および構成に関する。より詳細には、本明細書の実施形態は、無線通信ネットワークのネットワークノードから無線通信デバイスによって受信された信号に関する無線通信デバイスによる測定に関係する命令をもつメッセージの提供に関する。
【背景技術】
【０００２】
単に無線デバイスと称され得る無線通信デバイスなどの通信デバイスは、たとえば、ユーザ機器（ＵＥ）、モバイル端末、無線端末および／または移動局としても知られていることがある。無線デバイスは、代替的に、たとえば、セルラー通信ネットワーク、無線（wireless）通信システム、無線（radio）通信システム、セルラー無線システム、セルラーネットワークまたはセルラー通信システムと称され得る、無線通信ネットワーク中で無線で通信することが可能である。通信は、たとえば、２つの無線デバイス間で、無線デバイスと通常の電話との間で、および／または無線デバイスとサーバとの間で、無線アクセスネットワーク（ＲＡＮ）および場合によっては、セルラー通信ネットワーク内に備えられた１つまたは複数のコアネットワークを介して実行され得る。無線デバイスは、さらに、ほんのいくつかのさらなる例を挙げると、携帯電話、セルラー電話、ラップトップ、パーソナルデジタルアシスタント（ＰＤＡ）、タブレットコンピュータと呼ばれることがある。無線デバイスは、いわゆるマシンツーマシン（Ｍ２Ｍ）デバイスまたはマシン型通信（ＭＴＣ）デバイス、すなわち、従来のユーザに関連しないデバイスであり得る。無線デバイスは、別の無線デバイスまたはサーバなど、別のエンティティと、ＲＡＮを介して、音声および／またはデータを通信することが可能な、たとえば、ポータブル、ポケット格納可能、ハンドヘルド、コンピュータ装備、または車載モバイルデバイスであり得る。無線通信ネットワークは、無線カバレッジが与えられる地理的エリアをカバーし、無線デバイスがネットワーク中で接続し、通信することを可能にする。エリアは、サブエリア、たとえば、セルエリアに分割され得、各サブエリアは、少なくとも１つの基地局、またはベースステーション（ＢＳ）、たとえば、使用される技術および用語に応じて、たとえば、「ｅＮＢ」、「ｅノードＢ」、「ノードＢ」、「Ｂノード」、またはＢＴＳ（トランシーバ基地局）、ｇＮＢと時々呼ばれることがある無線基地局（ＲＢＳ）によってサーブされる。基地局は、送信電力およびしたがってまたセルサイズに基づいて、たとえば、マクロｅノードＢ、ホームｅノードＢまたはピコ基地局など、異なるクラスのものであり得る。基地局サイトにある基地局は、一般に、１つまたは複数のセルのために無線カバレッジを与える。セルは、一般に、１つまたは複数のセル識別情報によって識別され、基地局サイトにある基地局によってそのセルのための無線カバレッジが与えられる地理的エリアに関連付けられ得る。セルは、いくつかのセルが同じ地理的エリアをカバーするように重複し得る。基地局がセルを与えるまたはサーブするとは、無線カバレッジが与えられる地理的エリア中に位置する１つまたは複数の無線デバイスが前記セル中の基地局によってサーブされ得るように、基地局が無線カバレッジを与えることを意味する。無線デバイスがセル中でまたはセルによってサーブされると言われるとき、このことは、無線デバイスが、セルのために無線カバレッジを与える基地局によってサーブされることを暗示する。１つの基地局は１つまたはいくつかのセルをサーブし得る。さらに、各基地局は１つまたはいくつかの通信技術を��ポートし得る。基地局は、無線周波数上で動作するエアインターフェース上で基地局の範囲内の無線デバイスと通信する。
【０００３】
ダウンリンク（ＤＬ）という表現は、基地局から無線デバイスへの送信経路に対して使用される。アップリンク（ＵＬ）という表現は、反対方向における、すなわち、無線デバイスから基地局への送信経路に対して使用される。
【０００４】
ＵＭＴＳは、いわゆる第２世代または２Ｇに属する移動体通信用グローバルシステム（ＧＳＭ）から発展した３Ｇまたは第３世代の移動体通信システムである。ＵＭＴＳは、広帯域符号分割多元接続（ＷＣＤＭＡ）アクセス技術に基づく改善された移動体通信サービスを提供する。ＵＭＴＳ地上波無線アクセスネットワーク（ＵＴＲＡＮ）は、本質的に、無線デバイスのために広帯域符号分割多元接続を使用する無線アクセスネットワークである。高速パケットアクセス（ＨＳＰＡ）は、２つのモバイルテレフォニープロトコル、すなわち、ＷＣＤＭＡを利用する既存の３Ｇ移動体電気通信ネットワークの性能を拡張し、改善する、３ＧＰＰによって定義された、高速ダウンリンクパケットアクセス（ＨＳＤＰＡ）と高速アップリンクパケットアクセス（ＨＳＵＰＡ）との融合である。そのようなネットワークはＷＣＤＭＡ／ＨＳＰＡと称されることがある。
【０００５】
第３世代パートナーシッププロジェクト（３ＧＰＰ）は、ＵＴＲＡＮおよびＧＳＭベースの無線アクセスネットワーク技術を、たとえば、４Ｇ、すなわち第４世代の移動体通信システムであるＬｏｎｇ  Ｔｅｒｍ  Ｅｖｏｌｕｔｉｏｎ（ＬＴＥ）において使用される拡張ＵＴＲＡＮ（ＥＵＴＲＡＮ）にさらに発展させた。
【０００６】
３ＧＰＰはまた、第５世代（５Ｇ）と呼ばれることがある別の新世代のワイドエリアネットワークを標準化することに関与している。５Ｇ新無線（５Ｇ  ＮＲ）、または単にＮＲは、５Ｇのために開発されている新無線エアインターフェースである。しかしながら、ＮＲは、一般に５Ｇを示すためにも使用され得る。５Ｇを示すために使用されている別の頭字語は次世代（ＮＧ）である。
【０００７】
無線通信ネットワークでは、ＵＥのために好適なサービングセルを選定するように無線ネットワークを支援するためにサービングセルおよび近隣セルの信号レベルと品質とを監視し、報告するために、ＵＥ測定が使用される。カバレッジ理由、トラフィック負荷レベルまたは特定のサービスのサポートなど、ＵＥを現在のサービングセルから別のセルにリロケートする異なる理由がある。
【０００８】
ＵＥ測定は、無線通信ネットワークとも呼ばれる無線ネットワークによって設定され、測定および報告のための条件を指定するためにいくつかのパラメータが関与する。
【０００９】
ＬＴＥでは、ＥＵＴＲＡＮ、すなわち無線ネットワークによってＵＥに与えられるＵＥ測定設定が３ＧＰＰ技術仕様（ＴＳ）３６．３３１ＥＵＴＲＡ無線リソース制御（ＲＲＣ）プロトコル仕様において指定されている（たとえば、Ｖ１４．３．０（２０１７−０６）を参照されたい）。対応する仕様、３ＧＰＰ  ＴＳ３８．３３１ＮＲ  ＲＲＣプロトコル仕様（たとえば、Ｖ０．０．４を参照されたい）は、適用可能な場合、ＥＵＴＲＡＮバージョンに部分的に類似することが予想されるＮＲのために開発中である。両方の仕様については、特にチャプター５．５および６．３を参照されたい。ＮＲにおける測定設定フレームワークは、前記３ＧＰＰ  ＴＳ３８．３３１に記載されているように、ＬＴＥからのフレームワークに基づく。ＮＲでは、ネットワークは、測定設定に従ってセルレベル測定およびビームレベル測定を実行し、それらを報告するように、いわゆるＲＲＣ＿ＣＯＮＮＥＣＴＥＤ  ＵＥを設定することができる。測定設定は専用シグナリングによって与えられる。測定設定は、ＲＲＣＣｏｎｎｅｃｔｉｏｎＲｅｃｏｎｆｉｇｕｒａｔｉｏｎおよび／またはＲＲＣＣｏｎｎｅｃｔｉｏｎＲｅｓｕｍｅなど、ＲＲＣメッセージを介してＵＥに与えられ得る。
【００１０】
無線ネットワークは、以下のタイプの測定を実行するようにＵＥを設定することができる。
−  周波数内測定：１つまたは複数のサービングセルの１つまたは複数のダウンリンクキャリア周波数における測定。
−  周波数間測定：１つまたは複数のサービングセルの１つまたは複数のダウンリンクキャリア周波数のいずれかとは異なる周波数における測定。
−  ＥＵＴＲＡ周波数の無線アクセス技術間（ＲＡＴ間またはＩＲＡＴ）測定。
【００１１】
ＮＲにおけるＲＲＣ＿ＣＯＮＮＥＣＴＥＤ  ＵＥは、ＵＴＲＡ測定、ＧＳＭ測定、および／または無線ローカルエリアネットワーク（ＷＬＡＮ）符号分割多元接続２０００（ＣＤＭＡ２０００）などの非３ＧＰＰ  ＩＲＡＴ測定を実行するように設定され得る。測定設定は以下のパラメータを含む。
【００１２】
１．測定対象：ＵＥが測定を実行する対象のリスト。
−  周波数内測定および周波数間測定について、測定対象はＮＲダウンリンクキャリア周波数に関連付けられる。このキャリア周波数に関連して、ネットワークは「ブラックリスト掲載」セルのリストと「ホワイトリスト掲載」セルのリストとを設定することができる。ブラックリスト掲載セルはイベント評価または測定値報告において適用可能でない。ホワイトリスト掲載セルは、イベント評価および／または測定値報告において適用可能である唯一のセルである。
【００１３】
−  ＲＡＴ間Ｅ−ＵＴＲＡ測定について、測定対象は単一のＥ−ＵＴＲＡダウンリンクキャリア周波数である。
【００１４】
２．報告設定：測定対象ごとに１つまたは複数の報告設定があり得る、報告設定のリスト。各報告設定は以下を備える。
−  報告基準：イベントトリガされるまたは周期的のいずれかであり得る測定値報告を送信するようにＵＥをトリガする基準。基準はまた、参照信号受信電力（ＲＳＲＰ）、参照信号受信品質（ＲＳＲＱ）または信号対干渉雑音比（ＳＩＮＲ）などのトリガ量を含む。
【００１５】
−  参照信号（ＲＳ）タイプ：新無線同期信号（ＮＲ−ＳＳ）またはチャネル状態情報参照信号（ＣＳＩ−ＲＳ）など、セルレベルおよびビームレベル測定についてＵＥによって考慮されるべきＲＳ。
【００１６】
２つのタイプのＲＳ、すなわち、ＮＲ−ＳＳ、基本的にはＮＲプライマリＳＳ（ＮＲ−ＰＳＳ）および／またはＮＲセカンダリＳＳ（ＮＲ−ＳＳＳ）およびＣＳＩ−ＲＳに基づいてセル品質が計算され得る、ＮＲにおける新しい態様がある。
【００１７】
−  報告フォーマット：ＵＥが測定値報告中に含めるセルレベルおよびビームレベル量、たとえば、ＲＳＲＰおよび／またはＲＳＲＱおよび／またはＳＩＮＲ、ならびに関連情報、たとえば、報告すべきセルおよび／またはビームの数。
【００１８】
３．測定識別情報：各測定識別情報が１つの測定対象を１つの報告設定にリンクする、測定識別情報のリスト。複数の測定識別情報を設定することによって、２つ以上の測定対象を同じ報告設定にリンクすること、ならびに２つ以上の報告設定を同じ測定対象にリンクすることが可能である。測定識別情報は、報告をトリガした測定値報告中にも含まれ、ネットワークに対するリファレンスとして働く。
【００１９】
４．量設定：ＲＡＴタイプごとに１つの量設定が設定される。量設定は、その測定タイプのすべてのイベント評価および関係する報告のために使用される、測定量と関連するフィルタ処理とを定義する。
【００２０】
５．測定ギャップ：ＵＥが測定を実行するために使用し得る、すなわち、（アップリンク（ＵＬ）、ダウンリンク（ＤＬ））送信がスケジュールされない期間。
【発明の概要】
【００２１】
上記に鑑みて、目的は、無線デバイスによって実行された測定の、無線通信デバイス、たとえばＵＥによる無線通信ネットワークへの報告を改善するまたは報告に関する改善を可能にすることである。改善は、たとえば、ＵＥから無線通信ネットワークにより正確な測定結果を送信することを可能にすること、たとえば、ネットワークにとって重要でない測定を送信することを放棄する、および／または従来技術と比較してＵＥから無線通信ネットワークに測定を送信するためのシグナリングを低減することであり得る。
【００２２】
本明細書の実施形態の第１の態様によれば、目的は、無線通信ネットワークのシステムによって実行される方法によって達成される。無線通信ネットワークは、無線通信デバイスとの無線通信のために構成された第１のネットワークノードを備える。システムは、第１のネットワークノードから無線通信デバイスへのメッセージの送信をトリガする。メッセージは、無線通信ネットワークのネットワークノードから無線通信デバイスによって受信された信号に関する、無線通信デバイスによる測定に関係する命令を備える。命令は第１の測定条件と第２の測定条件とを備え、無線通信デバイスが無線通信ネットワークに測定のうちの少なくとも１つを報告するためには、第１の測定条件と第２の測定条件の両方が満たされなければならない。
【００２３】
本明細書の実施形態の第２の態様によれば、目的は無線通信ネットワークのシステムによって達成される。無線通信ネットワークは、無線通信デバイスとの無線通信のために構成された第１のネットワークノードを備える。システムは、第１のネットワークノードから無線通信デバイスへのメッセージの送信をトリガするように設定される。メッセージは、無線通信ネットワークのネットワークノードから無線通信デバイスによって受信された信号に関する、無線通信デバイスによる測定に関係する命令を備える。命令は第１の測定条件と第２の測定条件とを備え、無線通信デバイスが無線通信ネットワークに測定のうちの少なくとも１つを報告するためには、第１の測定条件と第２の測定条件の両方が満たされなければならない。
【００２４】
本明細書の実施形態の第３の態様によれば、目的は、無線通信ネットワークの第１のネットワークノードに無線で接続された無線通信デバイスによって実行される方法によって達成される。無線通信デバイスは第１のネットワークノードからメッセージを受信し、メッセージは、無線通信ネットワークのネットワークノードから無線通信デバイスによって受信された信号に関する、無線通信デバイスによる少なくとも１つの測定に関係する命令を備える。命令は第１の測定条件と第２の測定条件とを備え、無線通信デバイスが無線通信ネットワークに少なくとも１つの測定を報告するためには、第１の測定条件と第２の測定条件の両方が満たされなければならない。無線通信デバイスは、ネットワークノードから受信された信号に関する少なくとも１つの測定を実行する。無線通信デバイスは、少なくとも１つの測定が第１の測定条件と第２の測定条件とを満たすかどうかに基づいて、無線通信ネットワークに少なくとも１つの測定を報告する。
【００２５】
本明細書の実施形態の第４の態様によれば、目的は、無線通信ネットワークの第１のネットワークノードに無線で接続されるように無線で設定された無線通信デバイスによって達成される。無線通信デバイスは、第１のネットワークノードからメッセージを受信するように設定され、メッセージは、無線通信ネットワークのネットワークノードから無線通信デバイスによって受信された信号に関する、無線通信デバイスによる少なくとも１つの測定に関係する命令を備える。命令は第１の測定条件と第２の測定条件とを備え、無線通信デバイスが無線通信ネットワークに少なくとも１つの測定を報告するためには、第１の測定条件と第２の測定条件の両方が満たされなければならない。無線通信デバイスは、さらに、ネットワークノードから受信された信号に関する少なくとも１つの測定を実行するように設定される。その上、無線通信デバイスは、少なくとも１つの測定が第１の測定条件と第２の測定条件とを満たすかどうかに基づいて、無線通信ネットワークに少なくとも１つの測定を報告するように設定される。
【００２６】
上記および本明細書の実施形態のおかげで、システム、したがって無線通信ネットワークは、１つまたは複数の測定をネットワークノードに報告するなど、送信するかどうかを決定するときに、２つまたはさらに多くの測定条件を考慮に入れるように無線通信デバイスに命令することが可能である。それによって、たとえば、第１のネットワークノードから第２のネットワークノードへの無線通信デバイスのハンドオーバを実行するかどうかを決定するときに、たとえば、測定がネットワークノードにとって価値があるかどうかをより高い精度で決定することが可能になる。言い換えれば、本明細書の実施形態は、無線通信デバイスによって実行された測定の、無線通信デバイスによる無線通信ネットワークへの報告に関する改善を可能にする。
【００２７】
次に、実施形態およびそれらの特徴および利点のより完全な理解のために、以下で手短に説明する添付の図面とともに行われる以下の説明を参照する。
【図面の簡単な説明】
【００２８】
【図１】無線通信ネットワークを概略的に示すブロック図である。
【図２】本明細書のいくつかの実施形態に関係するシグナリングを示す複合的なシグナリング図およびフローチャートである。
【図３】本明細書のいくつかの実施形態に関係するシステムの概略ブロック図である。
【図４】システムによって実行され得る第１の方法の実施形態を概略的に示すフローチャートである。
【図５】第２の方法の実施形態を概略的に示すフローチャートである。
【図６】第２の方法を実行し得る無線通信デバイスの概略ブロック図である。
【発明を実施するための形態】
【００２９】
図１は、本明細書の実施形態が実装され得る例示的な無線通信ネットワークである無線通信ネットワーク１００を概略的に示すブロック図である。無線通信ネットワーク１００は、ＮＲ、ＬＴＥ、ＬＴＥ−Ａｄｖａｎｃｅｄ、広帯域ＣＤＭＡ、ＧＳＭ、ＣＤＭＡ２０００またはＷＬＡＮ、あるいは任意の他の類似のセルラーネットワークまたはシステムなどの無線通信ネットワークであり得る。
【００３０】
無線通信ネットワーク１００は第１のネットワークノード１１０と第２のネットワークノード１２０とを備える。第１のネットワークノード１１０は第１のセル１１２をサーブし、第２のネットワークノードは第２のセル１２２をサーブする。第１および第２のネットワークノード１１０、１２０は、たとえば、使用される無線アクセス技術および用語に応じて、ネットワークノードによってサーブされるセル内の無線通信デバイス、たとえばＵＥと通信することが可能な基地局、無線基地局、ノードＢ、ｅノードＢ、ｅＮＢ、ｇＮＢ、ホームノードＢ、ホームｅノードＢ、または任意の他のネットワークユニットであり得る。第１および第２のネットワークノード１１０、１２０は、代替的に、基地局コントローラ、ネットワークコントローラ、リレーノード、リピータ、アクセスポイント、無線アクセスポイント、リモートラジオユニット（ＲＲＵ）またはリモート無線ヘッド（ＲＲＨ）であり得る。
【００３１】
上記ですでに説明したのと同様に、セルは、基地局サイトまたはＲＲＵ中のリモートロケーションにある無線基地局機器によって無線カバレッジが与えられる地理的エリアに対応し得る。セルの定義はまた、送信のために使用される周波数帯域および無線アクセス技術、すなわちＲＡＴを包含し得、そのことは、２つの異なるセルが同じ地理的エリアを、ただし、異なる周波数帯域を使用してカバーし得ることを意味する。第１および第２のネットワークノード１１０、１２０は、したがって、それぞれのネットワークノードの範囲内の無線デバイスと、無線周波数上で動作しているエアまたは無線インターフェース上で通信するように構成され得る。
【００３２】
図１では、無線通信デバイス１３０は第１のセル１１２内に配置された状態で示されている。無線通信デバイス１３０は本項および以下でＵＥと称されることがある。無線通信デバイス１３０は、第１のネットワークノード１１０によってサーブされる第１のセル１１２中に存在するとき、無線リンク上で第１のネットワークノード１１０を介して無線通信ネットワーク１００内で通信するように設定され得る。第１のネットワークノード１１０は、それが無線通信デバイス１３０への無線通信アクセスを与えるとき、無線通信デバイス１３０に対するサービングネットワークノードと呼ばれることがある。第２のネットワークノード１２０は、無線通信デバイス１３０が第１のセル１１２中にあり、無線通信デバイス１３０が第２のネットワークノード１２０から信号を受信することができるとき、無線通信デバイス１３０に対する近隣ネットワークノードと呼ばれることがある。無線通信デバイス１３０は、たとえば、モバイルフォン、セルラーフォン、パーソナルデジタルアシスタント（ＰＤＡ）、スマートフォン、タブレット、無線通信能力を備えたセンサ、ラップトップ搭載機器（ＬＭＥ）、たとえば、ＵＳＢ、ラップトップ埋込み機器（ＬＥＥ）、マシン型通信（ＭＴＣ）デバイス、マシンツーマシン（Ｍ２Ｍ）デバイス、または顧客構内設備（ＣＰＥ）など、任意の種類の無線デバイスであり得る。
【００３３】
図１は概略的で、例示目的のためのものにすぎず、当業者に明らかなはずであるように、図中に示されたあらゆるものが本明細書のすべての実施形態のために必要とされ得るとは限らないことに注意されたい。また、無線通信ネットワーク１００に対応する１つまたは複数の無線通信ネットワークは、一般に、当業者によって気付かれるように、ただし、簡略化のために本明細書には示されていない、さらなる無線ネットワークノード、たとえば基地局、ネットワークノード、たとえば無線ネットワークノードとコアネットワークノードの両方など、いくつかのさらなるネットワークノードを備える。
【００３４】
本明細書の実施形態への発展として、最初に、背景技術に示された状況についてさらに詳述する。
【００３５】
上述のように、すなわちＬＴＥのための、仕様ＴＳ３６．３３１Ｖ１４．３．０（２０１７−０６）によれば、報告基準、すなわち、ネットワークノードからの信号に関する、ＵＥによって実行された測定を報告するべきか否かは、トリガ量としても知られるただ１つの測定量、たとえば、ＥＵＴＲＡＮ測定におけるＲＳＲＰ、ＲＳＲＱまたはＳＩＮＲに限定される。仕様では、「報告基準：イベントトリガされるまたは周期的のいずれかであり得る測定値報告を送信するようにＵＥをトリガする基準。基準はまた、トリガ量（ＲＳＲＰ、ＲＳＲＱまたはＳＩＮＲ）を含む」と述べられている。
【００３６】
測定の目的は、たいていの場合、ＵＥを移動するための好適なハンドオーバターゲットセルを見つけることである。多くの場合、ＵＥの最良のパフォーマンスのためには、信号レベルと品質の両方が、シナリオおよび測定イベントに応じた基準において良好であるか、またはより一層良好であるべきであると判断されている。このことは、複合的な（単一の）測定における既存の技術においては達成することは不可能である。既存の技術においてそのような二重または多重の検査を有するためには、ネットワークノード、たとえばｅＮＢは、ターゲットが特定のモビリティ目的のために十分に良好であるかどうかを評価するために、別個の測定を設定すること、および／または報告された測定に関する追加の後処理を実行することのいずれかを行わなければならない。これら両方の代替策は、特別のＲＲＣシグナリング、より長いハンドオーバ決定時間、ＵＥバッテリー消費量の増加、およびｅＮＢにおけるより複雑なプロシージャを暗示する。同じことは、ＮＲについて、およびｇＮＢにおいて当てはまることが予想される。
【００３７】
その上、ＮＲでは、上述のように、測定について２つの異なるＲＳタイプ、すなわちＮＲ−ＳＳおよびＣＳＩ−ＲＳがある。イベントごとにただ１つのトリガ量を有することは、ただ１つのＲＳタイプに基づくようなイベント測定に対する制限を暗示する。
【００３８】
以下のイタリックのテキストは、ここでは例として与えられる、上述のＥ−ＵＴＲＡ仕様３ＧＰＰ  ＴＳ３６．３３１Ｖ１４．３．０（２０１７−０６）のチャプター５．５．４．６からコピーされた、イベントＡ５についてのプロシージャのテキストである。テキストは他のイベント測定と同様である。イベント測定としても知られるイベントは、イベントの条件が満たされたときに、信号に関する測定が報告されるべきであるイベントとして理解され得る。
【００３９】
５．５．４．６  イベントＡ５（プライマリセル／プライマリセカンダリセル（ＰＣｅｌｌ／ＰＳＣｅｌｌ）がしきい値１よりも悪くなり、ネイバーセルがしきい値２よりも良くなる）
ＵＥは、以下を行うものとする：
１＞  以下で指定される条件Ａ５−１と条件Ａ５−２の両方が満たされたとき、このイベントについてのエンタリング条件が満たされものと見なす；
１＞  以下で指定される条件Ａ５−３または条件Ａ５−４、すなわち２つのうちの少なくとも１つが満たされたとき、このイベントについてのリービング条件が満たされたものと見なす；
１＞  対応するｒｅｐｏｒｔＣｏｎｆｉｇのｕｓｅＰＳＣｅｌｌが真に設定されている場合：
２＞  ＭｐのためにＰＳＣｅｌｌを使用する；
１＞  他の場合：
２＞  ＭｐのためにＰＣｅｌｌを使用する；
注記：イベントをトリガするセルは、ＰＣｅｌｌ／ＰＳＣｅｌｌによって使用される周波数とは異なり得る、関連するｍｅａｓＯｂｊｅｃｔ中に示された周波数上にある。
不等式Ａ５−１（エンタリング条件１）
Ｍｐ＋Ｈｙｓ＜Ｔｈｒｅｓｈ１
不等式Ａ５−２（エンタリング条件２）
Ｍｎ＋Ｏｆｎ＋Ｏｃｎ−Ｈｙｓ＞Ｔｈｒｅｓｈ２
不等式Ａ５−３（リービング条件１）
Ｍｐ−Ｈｙｓ＞Ｔｈｒｅｓｈ１
不等式Ａ５−４（リービング条件２）
Ｍｎ＋Ｏｆｎ＋Ｏｃｎ＋Ｈｙｓ＜Ｔｈｒｅｓｈ２
【００４０】
公式中の変数は以下のように定義される。
Ｍｐは、オフセットを考慮に入れない、ＰＣｅｌｌ／ＰＳＣｅｌｌの測定結果である。
Ｍｎは、オフセットを考慮に入れない、近隣セルの測定結果である。
Ｏｆｎは、ネイバーセルの周波数の周波数固有オフセット（すなわち、ネイバーセルの周波数に対応するｍｅａｓＯｂｊｅｃｔＥＵＴＲＡ内で定義されたｏｆｆｓｅｔＦｒｅｑ）である。
Ｏｃｎは、ネイバーセルのセル固有オフセット（すなわち、ネイバーセルの周波数に対応するｍｅａｓＯｂｊｅｃｔＥＵＴＲＡ内で定義されたｃｅｌｌＩｎｄｉｖｉｄｕａｌＯｆｆｓｅｔ）であり、ネイバーセルについて設定されていない場合、０に設定される。
Ｈｙｓは、このイベントについてのヒステリシスパラメータ（すなわち、このイベントについてｒｅｐｏｒｔＣｏｎｆｉｇＥＵＴＲＡ内で定義されたｈｙｓｔｅｒｅｓｉｓ）である。
Ｔｈｒｅｓｈ１は、このイベントについてのしきい値パラメータ（すなわち、このイベントについてｒｅｐｏｒｔＣｏｎｆｉｇＥＵＴＲＡ内で定義されたａ５−Ｔｈｒｅｓｈｏｌｄ１）である。
Ｔｈｒｅｓｈ２は、このイベントについてのしきい値パラメータ（すなわち、このイベントについてｒｅｐｏｒｔＣｏｎｆｉｇＥＵＴＲＡ内で定義されたａ５−Ｔｈｒｅｓｈｏｌｄ２）である。
Ｍｎ、Ｍｐは、ＲＳＲＰの場合はｄＢｍで、またはＲＳＲＱおよびＲＳ−ＳＩＮＲの場合はｄＢで表される。
Ｏｆｎ、Ｏｃｎ、ＨｙｓはｄＢで表される。
Ｔｈｒｅｓｈ１はＭｐと同じ単位で表される。
Ｔｈｒｅｓｈ２はＭｎと同じ単位で表される。
【００４１】
さらに、以下の表１は、前記ＴＳ３６．３３１Ｖ１４．３．０（２０１７−０６）において定義されたＲｅｐｏｒｔＣｏｎｆｉｇＥＵＴＲＡ情報要素からの抜粋を含んでいる（４８８〜４９１ページを参照されたい）。抜粋はトリガ量設定に関する。
0006963675.tif 000002
表１−ＲｅｐｏｒｔＣｏｎｆｉｇＥＵＴＲＡ情報要素からの抜粋
【００４２】
前記仕様では、ｔｒｉｇｇｅｒＱｕａｎｔｉｔｙは、「ＣＲＳに関するイベントについてのトリガ条件を評価するために使用される量。ＥＵＴＲＡＮは、このイベントについてのＴｈｒｅｓｈｏｌｄＥＵＴＲＡの量に応じた値を設定する。値ｒｓｒｐ、ｒｓｒｑおよびｓｉｎｒは、参照信号受信電力（ＲＳＲＰ）、参照信号受信品質（ＲＳＲＱ）および参照信号対干渉雑音比（ＲＳ−ＳＩＮＲ）に対応する（ＴＳ３６．２１４を参照されたい）。ｔｒｉｇｇｅｒＱｕａｎｔｉｔｙ−ｖ１３１０が設定された場合、ＵＥはこのエクステンションのみを考慮する（およびｔｒｉｇｇｅｒＱｕａｎｔｉｔｙ、すなわちサフィックスなしを無視する）。」と説明されている。
【００４３】
本明細書の実施形態は、たとえば、第１のネットワークノード１１０によって無線通信デバイス１３０にシグナリングされる測定設定、すなわち、１つまたは複数のネットワークノードからＵＥによって受信された信号に関するＵＥ測定に関係する測定命令を拡張することまたは適応させることに関すると考えられ得、それらのことによって実装され得、また、測定実行および報告のための、満たされた測定条件としても知られていることがある、二重／多重トリガを有することを可能にするように、無線通信デバイス１３０における処理、すなわちＵＥ実装を改善すると考えられ得る。
【００４４】
いくつかの実施形態では、測定条件としても知られている複数のトリガ条件が、複数のトリガ量、たとえば異なるＲＳＲＰ、ＲＳＲＱおよびＳＩＮＲに関連付けられる。その場合、本明細書の実施形態は、無線通信ネットワーク１００が、ｒｅｐｏｒｔＣｏｎｆｉｇごとに、すなわち、同じｒｅｐｏｒｔＣｏｎｆｉｇ  ＩＥなど、同じｒｅｐｏｒｔＣｏｎｆｉｇ内で定義され得る各測定イベントについて２つ以上のトリガ量を定義することを可能にする。上記のように、従来技術では、ネットワークはｒｅｐｏｒｔＣｏｎｆｉｇ内でイベントごとに１つの単一の量を設定することのみができる。たとえば、イベントは、ＲＳＲＰに関する第１の測定条件と、ＲＳＲＱに関する第２の測定条件とを備え得、測定を報告するためには、第１の測定条件と第２の測定条件の両方が満たされるべきである。
【００４５】
さらなる実施形態では、複数のトリガ条件が、複数のＲＳタイプに基づいて計算された測定結果に関連付けられる。セル測定結果は、たとえば、ＮＲにおけるＮＲ−ＳＳＳおよび／またはＮＲ−ＰＳＳＳおよび／または物理ブロードキャストチャネル（ＰＢＣＨ）のためのＮＲ復調参照信号（ＮＲ−ＤＭＲＳ）またはＣＳＩ−ＲＳなど、ＳＳブロックベースの参照信号に基づいて導出され得るので、トリガリングルールは、以下のうちの１つまたは複数に基づき得る。
−  ＳＳブロックから導出されたセルレベルＲＳＲＰかつＣＳＩ−ＲＳから導出されたセルレベルＲＳＲＰ
−  ＳＳブロックから導出されたセルレベルＲＳＲＱかつＣＳＩ−ＲＳから導出されたセルレベルＲＳＲＱ
−  ＳＳブロックから導出されたセルレベルＲＳＲＰかつＣＳＩ−ＲＳから導出されたセルレベルＲＳＲＱ
−  ＳＳブロックから導出されたセルレベルＲＳＲＱかつＣＳＩ−ＲＳから導出されたセルレベルＲＳＲＰ
【００４６】
注記：ＲＳＲＰおよびＲＳＲＱが例として使用されているが、これらの実施形態は、セルカバレッジまたは品質、たとえばＳＩＮＲに関する量にも適用可能である。
【００４７】
言い換えれば、第１の参照信号に基づいて実行された測定に関する第１の測定条件が満たされ、第２の参照信号に基づいて実行された測定に関する第２の測定条件も満たされた場合に、測定値報告が送信され得る。
【００４８】
またさらなる実施形態では、複数のトリガ条件が、セルレベル測定結果、および測定結果でもあり得るビームレベル測定情報に関連付けられる。イベントは、以下のビームレベルベースのトリガ条件のうちの１つまたは組合せと組み合わせられたサービングセルおよび／またはネイバーセルのセル測定結果に基づいてトリガされ得る。
−  セル測定結果に加えて、サービングセルおよびネイバーセルの「良好な」ビームの数がトリガする、すなわち：
○Ａ１様イベントは、たとえば、前記３ＧＰＰ  ＴＳ３６．３３１Ｖ１４．３．０（２０１７−０６）において定義されているように、サービングセル中の「良好な」ビームの数がしきい値よりも高いおよび／または低い場合にトリガされる；
○Ａ２様イベントは、たとえば、前記３ＧＰＰ  ＴＳ３６．３３１Ｖ１４．３．０  （２０１７−０６）において定義されているように、サービングセル中の「良好な」ビームの数がしきい値よりも低いおよび／または高い場合にトリガされる；
○Ａ３様イベントは、たとえば、３ＧＰＰ  ＴＳ３６．３３１Ｖ１４．３．０（２０１７−０６）において定義されているように、ネイバーセルの「良好な」ビームの数がＰＣｅｌｌ／ＰＳＣｅｌｌの「良好な」ビームの数よりも良好なオフセットになった場合にトリガされる。
○Ａ４様イベントは、たとえば、３ＧＰＰ  ＴＳ３６．３３１Ｖ１４．３．０（２０１７−０６）において定義されているように、ネイバーセル中の「良好な」ビームの数がしきい値よりも低いおよび／または高い場合にトリガされる；
○Ａ５様イベントは、たとえば、３ＧＰＰ  ＴＳ３６．３３１Ｖ１４．３．０（２０１７−０６）において定義されているように、ＰＣｅｌｌ／ＰＳｃｅｌｌ中の「良好な」ビームの数がしきい値−３よりも低くなり、ネイバー中の「良好な」ビームの数がしきい値−４よりも良好になった場合にトリガされる；
○Ａ６様イベントは、たとえば、３ＧＰＰ  ＴＳ３６．３３１Ｖ１４．３．０（２０１７−０６）において定義されているように、ネイバーセル中の「良好な」ビームの数が、ＳＣｅｌｌよりも、良好なビームの数に関してより良好なオフセットになった場合にトリガされる；−セル測定結果に加えて、サービングセルおよびネイバーセルの「良好な」ビームの測定結果がトリガする、すなわち：
○Ａ１様イベントは、サービングセル中の「最良の」ビームの測定結果がしきい値よりも高い場合にトリガされる；
○Ａ１様イベントは、サービングセル中の「最良の」ビームの測定結果がしきい値よりも低い場合にトリガされる；
○Ａ１’：は、セル品質＞ｔｈ１の場合かつサービングセル中の「最良の」ビームの測定結果がしきい値よりも高い場合にトリガされる；
○Ａ１’’：セル品質＞ｔｈ１かつサービングセル中の「最良の」ビームの測定結果がしきい値よりも低い場合；
○Ａ２様イベントは、サービングセル中の「最良の」ビームの測定結果がしきい値よりも低いか、または高い場合にトリガされる；
○Ａ３様イベントは、ネイバーセルの「最良の」ビームの測定結果がＰＣｅｌｌ／ＰＳＣｅｌｌの「最良の」ビームの測定結果よりも良好なオフセットになった場合にトリガされる。
○Ａ４様イベントは、ネイバーセルの「最良の」ビームの測定結果がしきい値よりも低いか、または高い場合にトリガされる；
○Ａ５様イベントは、ＰＣｅｌｌ／ＰＳｃｅｌｌ中の「最良の」ビームの測定結果がしきい値−３よりも低くなった場合およびネイバー中の「最良の」ビームの測定結果がしきい値−４よりも良好になった場合にトリガされる；
○Ａ６様イベントは、ネイバーセル中の「良好な」ビームの数が、ＳＣｅｌｌよりも、良好なビームの数に関してより良好なオフセットになった場合にトリガされる；
○最良のビームが変化したまたはビームの数が変化した場合、イベントがトリガされ、または追加の測定値報告が送信される。
【００４９】
注記：上記の「良好な」ビームという用語は以下の選択肢のうちのいずれか１つを指し得る。
−  すべての検出可能なビーム；
−  しきい値が設定可能であり得る、絶対しきい値を上回るすべてのビーム；
−  最も高い測定値をもつビームおよび絶対しきい値を上回るすべての残りのビーム；
−  相対しきい値が設定可能であり得る、最も高い値をもつビームからの相対しきい値内にあるすべてのビーム；
【００５０】
注記：上記の「最良の」ビームという用語は以下の定義のうちのいずれか１つを指し得る。
−  所与のセルに関連付けられ、たとえば、ブロードキャストされる様式でビームフォーミングされ、そのように見なされ得る物理ブロードキャストチャネル（ＰＢＣＨ）中の時間インデックスによって、および／またはその時間インデックスのおかげで示されたビーム。各ビームは、ビーム掃引され得る異なる時間インデックスによって、および／またはＳＳブロックインデックスによって示され得、各ＳＳＢブロックインデックスは、送信されているＤＬビームを示し得る。ビームは最も高い測定結果、たとえば、電力ベース測定および／または品質ベース測定を有していることがある。この文脈において、ＳＳＢは、ビームフォーミングされ、ビーム掃引された参照信号のセットであると見なされ得るか、またはその参照信号のセットに対応し得る。
−  ＳＳブロックまたはＣＳＩ−ＲＳのいずれかに基づき得る通知；
【００５１】
上記の組み合わされた条件について、イベントのエンタリング条件のトリガリングのために適用可能であるとして説明した。別の可能性は、イベントトリガ型周期的イベントのためになど、イベントの後続の報告をトリガする条件としてルールを有することである。言い換えれば、第１のイベントのトリガリングは単一の条件に基づき得るが、トリガリング後の後続の周期的イベントの報告は追加の条件によって制御され得る。
【００５２】
その場合、条件は、前の報告をトリガした条件の変化に基づき得る。たとえば、無線通信デバイス１３０が、ビームのあるセットについて、トリガされたセルとレイヤ３（Ｌ３）フィルタ処理済みビーム測定とを報告し、たとえば、報告されたセルのうちの少なくとも１つについての最良のビームが変化した場合、無線通信デバイス１３０は、事前定義された期間中に測定値報告を送信し得、そうでない場合は送信し得ない。最良のビームの変化は、そのことのための１つの基準であり得るが、追加の基準、たとえば、良好なビームの数の変化および正のおよび／または負の変化もあり得る。
【００５３】
このことは、無線通信ネットワーク１００が、従来技術のテクノロジーによって可能であるものとは異なる方法でハンドオーバのためのトリガ条件を制御することを可能にする。ハンドオーバは、それによって、より正確で、よりフレキシブルになり得る。
【００５４】
本明細書の実施形態の利点および利益は、たとえば、以下を含む。
・ＲＲＣシグナリングの低減。これは、いくつかの測定を組み合わせて１つにすることが可能であり、特別の測定値報告が回避され得るからである。
・測定値報告の減少によるＵＥバッテリー消費量の低減
・両方のトリガ量を考慮するより正確な測定値報告に基づいて決定がなされ得ることによる、より信頼できるハンドオーバ決定。
・メモリおよびプロセシングをあまり必要とし得ない、ネットワークノード、たとえば、ｅＮＢまたはｇＮＢ中のより効率的なモビリティ処理機構。
・ＵＥおよびネットワークのパフォーマンスの改善。ハンドオーバソースおよびターゲットにおける複数のトリガ量に基づくモビリティ決定は、ハンドオーバの後の適切な無線状態を保証し、そのことが、スループットおよび容量およびリテイナビリティ、たとえばドロップ率に関して、ＵＥおよび／またはネットワークのパフォーマンスを潜在的に改善する。
【００５５】
図２は、無線ネットワーク、たとえば、サービングｅＮＢまたはｇＮＢが、ＲＲＣＣｏｎｎｅｃｔｉｏｎＲｅｃｏｎｆｉｇｕｒａｔｉｏｎメッセージを使用する専用シグナリングによってＵＥ測定を設定するときに関与するシグナリングを示す複合的なシグナリング図およびフローチャートである。ＲＲＣＣｏｎｎｅｃｔｉｏｎＲｅｃｏｎｆｉｇｕｒａｔｉｏｎメッセージは、たとえば、ＥＵＴＲＡＮまたはＮＲまたは任意の他のＲＡＴについて、上記または本明細書の実施形態に基づいて更新されたものなど、ＲｅｐｏｒｔＣｏｎｆｉｇ情報要素（ＩＥ）を含み得る。少なくともＥＵＴＲＡＮでは、図示されていないが、ＲＲＣＣｏｎｎｅｃｔｉｏｎＲｅｓｕｍｅメッセージを介して測定を設定することも可能である。ＮＲについて、ＵＥに測定設定を与えるためにどのＲＲＣメッセージが使用されるべきであるかは決定されなかった。
【００５６】
本明細書の実施形態は、図示されたシグナリングシーケンスを仮定しておらず、またはそのシグナリングシーケンスの変更を必要としていないが、たとえば、前記バージョンＶ０．０．４に続くＮＲ仕様３ＧＰＰ３８．３３１のバージョンにおいて定義され得る、新しいＩＥ  ＲｅｐｏｒｔＣｏｎｆｉｇＧＵＴＲＡおよび他のｒｅｐｏｒｔ  ｃｏｎｆｉｇ  ＩＥを定義するときに、ＮＲについて対応するＩＥを達成するために情報要素（ＩＥ）ＲｅｐｏｒｔＣｏｎｆｉｇＥＵＴＲＡコンテンツの更新を伴い得る。
【００５７】
図示のように、アクション２０１では、ｅＮＢまたはｇＮＢは、たとえば報告設定を含む、必要とされる測定設定を決定し得る。ｅＮＢは、次いで、アクション２０２において、命令され得る設定を送信し得、ＵＥはその設定を受信し得る。設定が完了すると、ＵＥは、ネットワーク、たとえば、前記ｅＮＢまたはｇＮＢへの返信として、アクション２０３においてＲＲＣＣｏｎｎｅｃｔｉｏｎＲＥｃｏｎｆｉｇｕｒａｔｉｏｎＣｏｍｐｌｅｔｅメッセージを送信し得る。その後、アクション２０４において、ＵＥは、それに応じて、すなわち、受信された設定に基づいて、たとえば、トリガ量設定を考慮して、イベント測定を実行し得る。
【００５８】
従来技術のソリューションでは、たとえば、ＰＣｅｌｌ、または第１のセル１１２などのサービングセルがしきい値１よりも悪くなり、ネイバーセルがしきい値２よりも良くなった場合に、たとえばイベントＡ５測定を設定するためには、以下の２つの制限がある。
・イベントごとに定義されたトリガ量は１つしかない。このことは、しきい値１としきい値２とが同じ種類、すなわち、ＲＳＲＰ、ＲＳＲＱまたはＳＩＮＲのいずれかであるべきことを暗黙的に意味する。
・同じイベントにおけるソースおよびネイバー測定に関する複数のトリガ量（ＲＳＲＰおよび／またはＲＳＲＱおよび／またはＳＩＮＲ）を設定することは不可能である。
【００５９】
例示的なシナリオでは、ＵＥ、たとえば無線通信デバイス１３０は、そのデバイスのサービングセル、たとえば第１のセル１１２中で不十分なカバレッジに遭遇していることがある。無線ネットワーク、この例ではサービングｅＮＢ、たとえば第１のネットワークノード１１０は、ネイバーセルをサーブするネイバーｅＮＢ、たとえば、第２のセル１２２をサーブする第２のネットワークノード１２０からＵＥによって受信された信号のＲＳＲＰ、ＲＳＲＱおよび／またはＳＩＮＲを評価するために、ＵＥに対する測定を設定する。ターゲットネイバーセル、たとえば第２のセル１２２がＲＳＲＰ、ＲＳＲＱおよびＳＩＮＲの観点から十分に良好であることを確かめるために、ｅＮＢは、すべてに対して設定された報告量をもつトリガ量としてＳＩＮＲを用いて測定を設定しなければならない。ＳＩＮＲを満たす受信されたＵＥ測定値報告は、潜在的なターゲットセルについてのＲＳＲＰおよびＲＳＲＱ条件も十分に良好であるかどうかを検査するために、ｅＮＢにおいて後処理される。そうでない場合、測定値報告は無視される。このことは、それらの測定値報告がモビリティアクションにつながらないので、多くの測定値報告の浪費につながり得る。このことはまた、ｅＮＢリソースの浪費と追加のＵＥバッテリー消費を暗示する。
【００６０】
これらの問題は、ＵＥが、すべての必要とされる条件、たとえば、ＲＳＲＰ、ＲＳＲＱおよびＳＩＮＲのうちの少なくとも２つについての条件を満たしたときにのみ、ＵＥに測定値報告を送信させることによって回避され得る。
【００６１】
同じシナリオは、ＮＧ−ＲＡＮと呼ばれることがあるＮＲ無線アクセスネットワーク中のＮＲ測定について、また、ＮＧ−ＲＡＮからＥＵＴＲＡＮまたは任意の他のＲＡＴへのＩＲＡＴ測定についても有効である。ＮＲ無線アクセスネットワークは、以前にＧＵＴＲＡＮと呼ばれていたことがあったが、現在はＮＧ−ＲＡＮがより一般的に使用される用語であることに留意されたい。
【００６２】
さらに、ＮＲにおける無線リソース管理（ＲＲＭ）測定は、イベントトリガリングのためのセル品質がＣＳＩ−ＲＳまたはＮＲ−ＳＳのいずれかに基づき得ることなど、ＬＴＥと比較していくつかの差異を有する。ＲＳタイプに基づいてイベント測定を設定するための２つの方法がある。
・各イベントを１つのＲＳタイプに限定する
・イベントごとに複合的なＲＳを可能にする
【００６３】
ＣＳＩ−ＲＳ条件に基づいてモビリティを実行するとき、一般に、ターゲットセル中でＮＲ−ＳＳカバレッジが十分に良好であることを確かめることも重要である。このことは、２つの別個のイベント、たとえば、ＣＳＩ−ＲＳに基づくＡ３イベントおよびＮＲ−ＳＳに基づくＡ４イベントによって達成され得る。しかしながら、このことは、前の例と同様に多くの不要な測定値報告につながり得る。より良いソリューションは、単一のイベントが両方のＲＳタイプを考慮することを可能にすることであろう。
【００６４】
複数のトリガ量と、異なるＲＳタイプの両方を考慮して、いくつかの実施形態では、ＧＵＴＲＡＮのための新しい報告設定は以下を可能にする。
−  エンタリング条件に関するしきい値ごとに、ＲＳタイプ、たとえば、ＮＲ−ＳＳ、ＣＳＩ−ＲＳを設定すること。
−  エンタリング条件に関するしきい値ごとに、複数のトリガ量を設定すること。
【００６５】
このことは他のイベントのために拡張され得、ｔｒｉｇｇｅｒＱｕａｎｔｉｔｙ１は以下について有効であるように定義され得る。
・ａ１−しきい値
・ａ２−しきい値
・ａ３−オフセット
・（たとえば、以下の表２の第１の例におけるように）ａ５−しきい値１
ｔｒｉｇｇｅｒＱｕａｎｔｉｔｙ２は、以下について有効であるように定義され得る。
・ａ４−しきい値
・ａ６−オフセット
・（たとえば、以下の表２の第１の例におけるように）ａ５−しきい値２
0006963675.tif 000003
表２−イベントＡ５についての設定に関する第１の例
【００６６】
トリガ量ごとのＲＳタイプはＮＲ−ＳＳまたはＣＳＩ−ＲＳのいずれかであり得る。本開示では、Ａ１およびａ１は一般に同じイベントを指し、言い換えれば、大文字が使用されるか小文字が使用されるかは重要でないことに留意されたい。
【００６７】
いくつかの実施形態では、ＧＵＴＲＡについての新しい報告設定はまた、エンタリング条件ごとの複合的なＲＳタイプを可能にする。たとえば、ＣＳＩ−ＲＳ  ＲＳＲＰがソースにおけるしきい値よりも低く、また、ＮＲ−ＳＳについてのＲＳＲＰまたはＲＳＲＱのいずれかがソースセルにおける指定されたしきい値よりも低い、すなわち、以下のエンタリング条件が満たされるべきであるときに、モビリティが望まれると仮定する。
・ＣＳＩ−ＲＳ  ｒｓｒｐ＜ｃｓｉ−ｒｓ−ｔｈｒｅｓｈｏｌｄ−ＲＳＲＰかつ（（ＮＲ−ＳＳ  ｒｓｒｑ＜ｓｓ−ｔｈｒｅｓｈｏｌｄ−ＲＳＲＱ）または（ＮＲ−ＳＳ  ｒｓｒｐ＜ｓｓ−ｔｈｒｅｓｈｏｌｄ−ＲＳＲＰ））
【００６８】
以下の表３は、イベントＡ５についての設定に関する第２の例であり、表３は、このことを考慮に入れ、したがってＧＵＴＲＡＮについてのそのような設定がどのように実装され得るかを示す。
0006963675.tif 000004
表３−イベントＡ５についての設定に関する第２の例
【００６９】
必要とされるしきい値は、各ＲＳタイプおよび量について設定されるべきである。ＴｒｉｇｇｅｒＣｏｎｆｉｇでは、ＲＳタイプは、一方のタイプが望まれるのか両方のタイプが望まれるのかにかかわらず、それらの間の論理と一緒に設定され得る。ＲＳタイプごとに、その場合、トリガ量は、１つの量が考慮されるべきか複数の量が考慮されるべきかにかかわらず、定義される。
【００７０】
このことは他のイベントについても拡張され、したがって使用され得、ｔｒｉｇｇｅｒＱｕａｎｔｉｔｙ１は、たとえば、以下について有効であるように定義され得る。
・ａ１−しきい値
・ａ２−しきい値
・ａ３−オフセット
・（たとえば、上記の表３の第２の例におけるように）ａ５−しきい値１
さらに、ｔｒｉｇｇｅｒＱｕａｎｔｉｔｙ２は、以下について有効であるように定義され得る。
・ａ４−しきい値
・ａ６−オフセット
・（たとえば、上記の表３の第２の例におけるように）ａ５−しきい値２
【００７１】
提案され、例示された本明細書の報告設定に対して簡略化が行われ、たとえば、組み合わせられるべきトリガ量またはＲＳタイプを限定することがあることに留意されたい。
【００７２】
本明細書の例は、いくつかのパラメータの存在を示し、それらのパラメータを例示することを意図していることに留意されたい。実際のフォーマット、名称および実際のメッセージ内の位置は、もちろん、示された例とは異なり得る。
【００７３】
実施形態は、たとえば、ＧＵＴＲＡＮ、すなわちＮＲについて、およびＥＵＴＲＡＮ、すなわちＬＴＥについての両方について、周波数内および／または周波数間およびＩＲＡＴ測定イベントの両方に関して、使用され得、有効である。
【００７４】
ＥＵＴＲＡＮに関するさらなる例およびそのような状況における実装として、ＥＵＴＲＡＮ−ＮＲデュアルコネクティビティ（ＥＮ−ＤＣ）セットアップの前に必要とされるＩＲＡＴ測定について考える。ＬＴＥがそれ自体で最適でないときにＥＮ−ＤＣをセットアップすることのみが望まれる場合、以下で述べるように、複数のトリガ量とＲＳタイプとをもつＮＲ上のＢ２測定は有益であり得、以下によって説明され得る。
・（ＬＴＥ  ｒｓｒｐ＜Ｂ２−ｔｈｒｅｓｈｏｌｄ１−ＲＳＲＰ−ｃｒｓまたはＬＴＥ  ｒｓｒｑ＜Ｂ２−ｔｈｒｅｓｈｏｌｄ１−ＲＳＲＱ−ｃｒｓ）、すなわち「ＰＣｅｌｌがしきい値１よりも悪くなる」に基づく
かつ
・（ＮＲ  ｒｓｒｐ＞Ｂ２−ｔｈｒｅｓｈｏｌｄ２−ＲＳＲＰ−ｓｓかつＮＲ  ｒｓｒｑ＞Ｂ２−ｔｈｒｅｓｈｏｌｄ２−ＲＳＲＱ−ｓｓ）、すなわち「ＲＡＴ間ネイバーがしきい値２よりも良好になる」に基づく
【００７５】
そのような設定可能性を実装するための１つの方法は、たとえば、以下のＲＳタイプおよびトリガ量タイプをもつ以前の例に類似し得る。
・ＲＳタイプ：ＬＴＥ  ＣＲＳ、ＬＴＥ  ＣＳＩ−ＲＳ、ＮＲ  ＳＳ、ＮＲ  ＣＳＩ−ＲＳ
・ｔｒｉｇｇｅｒＱｕａｎｔｉｔｙオプション：ＬＴＥ  ＲＳＲＰ、ＲＳＲＱ、ＳＩＮＲ、ＮＲ  ＲＳＲＰ、ＮＲ  ＲＳＲＱ、ＮＲ  ＳＩＮＲ。
【００７６】
いくつかの他の実施形態では、ＩＥにおけるｓ−Ｍｅａｓｕｒｅも量およびＲＳタイプごとに設定可能であると仮定して、本明細書の実施形態において提案された共同のＲＳタイプおよびｔｒｉｇｇｅｒＱｕａｎｔｉｔｙの定義がｓ−Ｍｅａｓｕｒｅ条件についても有効であるように拡張され得る。たとえば、所与のｒｅｐｏｒｔＣｏｎｆｉｇ  Ａ５について、しきい値１についての所望のＲＳタイプ組合せとしてｓｓＡＮＤｃｓｉ−ｒｓ、およびしきい値１についての所望のトリガ組合せとしてｒｓｒｐＯＲｓｉｎｒを仮定すると、同じことはｓ−Ｍｅａｓｕｒｅの適用についても有効であり得る。このことは、ＮＲ−ＳＳとＣＳＩ−ＲＳの両方が、対応する設定済みのｓ−Ｍｅａｓｕｒｅしきい値、たとえば、ｍｅａｓＯｂｊｅｃｔまたはｒｅｐｏｒｔＣｏｎｆｉｇ  ＩＥまたは両方の組合せにおいて設定され得るｓ−ＭｅａｓｕｒｅＲＳＲＰ−ｓｓおよびｓ−ＭｅａｓｕｒｅＳＩＮＲ−ｃｓｉ−ｒｓよりも低いＲＳＲＰまたはＳＩＮＲのいずれかを有しない限り、ＵＥは周波数間測定を実行する必要がないことを意味する。
【００７７】
図３は、本明細書における方法およびアクションを実行するために与えられ得るシステム３００の概略ブロック図である。
【００７８】
システム３００は、セル、たとえばｅＮＢまたはｇＮＢ中で無線カバレッジを与えるネットワークノードであり得る、第１のネットワークノード１１０または第２のネットワークノード１２０など、無線通信ネットワーク１００のネットワークノードであり得る。代替的に、システムは、無線通信デバイス１３０からさらに離れたノード、たとえば、コアネットワーク中のノードまたは無線アクセスネットワーク中のノードなど、セル中の無線カバレッジを与える別のネットワークノード、無線ネットワークコントローラ（ＲＮＣ）、モビリティ管理エンティティ（ＭＭＥ）、または類似のものなど、無線通信システム１００の任意の他のネットワークノードであり得る。この代替では、システム３００に対応するネットワークノード、たとえば第１のネットワークノード１１０は、前記他のネットワークノードから、ＵＥ測定など、無線通信デバイス１３０による測定に関係する命令を受信し、無線通信デバイス１３０にメッセージ中の命令を通信するように構成され得る。代替的に、システム３００はネットワークノードのグループであり得、そのシステムの機能は、無線通信ネットワーク１００の異なる物理ノードまたは仮想ノードにわたって広がる。後者はクラウド実装と呼ばれることがあり、クラウド実装はまた、実際の無線通信ネットワーク１００の外部のノードを伴い得る。システム３００の詳細、および本明細書の実施形態を実行するためにシステム３００がどのように設定され得るかについて、以下でさらに別個に説明する。
【００７９】
図４は、第１の方法の実施形態を概略的に示すフローチャートである。第１の方法は、無線通信ネットワーク、たとえば無線通信ネットワーク１００のシステム、たとえばシステム３００によって実行されるべきである。無線通信ネットワークは、無線通信デバイス、たとえば無線通信デバイス１３０との無線通信のために構成された第１のネットワークノード、たとえば第１のネットワークノード１１０を備える。
【００８０】
第１の方法は以下のアクションを含む。
【００８１】
アクション４０１
システム３００は、第１のネットワークノード１１０から無線通信デバイス１３０、たとえばＵＥへのメッセージの送信をトリガする。メッセージは、無線通信ネットワーク１００のネットワークノード、たとえば、第１のネットワークノード１１０または第２のネットワークノード１２０から無線通信デバイス１３０によって受信された信号に関する、無線通信デバイス１３０による測定、たとえばＵＥ測定に関する命令を備える。命令は第１の測定条件と第２の測定条件とを備え、無線通信デバイス１３０が無線通信ネットワーク１００にＵＥ測定のうちの少なくとも１つを報告するためには、第１の測定条件と第２の測定条件の両方が満たされなければならない。すなわち、無線通信デバイス１３０は、このことによって、第１の測定条件と第２の測定条件とについて、および無線通信デバイス１３０が無線通信ネットワーク１００にＵＥ測定のうちの少なくとも１つを報告するためには両方が満たされなければならないことを命令されるか、または通知され得る。
【００８２】
気付かれ得るように、メッセージおよび命令は、したがって、ｒｅｐｏｒｔＣｏｎｆｉｇ  ＩＥ、または類似のものにおいて、備えるまたは備えられるなど、対応または関係し得、各測定イベントについて、または各測定イベントごとに、測定するイベントおよび２つ以上のトリガ量を定義し得る。トリガ量は測定条件に対応し得る。
【００８３】
このことと、本明細書の実施形態とのおかげで、システム３００、したがって無線通信ネットワーク１００は、ネットワークノードに１つまたは複数の測定を報告するなど、送信すべきかどうかを決定するときに、２つのまたはさらに多くの測定条件を考慮に入れるように無線通信デバイス１３０に命令することを可能にされる。上記でさらに詳細に説明されたように、それによって、たとえば、第１のネットワークノード１１０から第２のネットワークノード１２０への無線通信デバイス１３０のハンドオーバを実行すべきかどうかを決定するときに、たとえば、測定がネットワークノードにとって価値があるかどうかをより高い精度で決定することが可能になる。
【００８４】
無線通信デバイス１３０が前記命令によってそのネットワークノードからの信号を測定するように命令され得るネットワークノードは、無線通信デバイス１３０をサーブしているネットワークノード、たとえば第１のネットワークノード１１０に対する近隣ネットワークノード、たとえば第２のネットワークノード１２０であり得ることに留意されたい。
【００８５】
いくつかの実施形態では、第１の測定条件は第１の測定量、たとえばＲＳＲＰに関し、第２の測定条件は、第１の測定量とは異なる第２の測定量、たとえばＲＳＲＱに関する。
【００８６】
さらに、いくつかの実施形態では、第１の測定条件は第１の参照信号タイプ、たとえばＳＳブロックベースの参照信号に関し、第２の測定条件は、第１の参照信号タイプとは異なる第２の参照信号タイプ、たとえばＣＳＩ  ＲＳに関する。
【００８７】
その上、いくつかの実施形態では、第１の測定条件はセルレベル測定に関し、第２の測定条件は、ビームレベル測定など、ビームレベル測定情報に関する。
【００８８】
さらに、いくつかの実施形態では、命令は、第１の測定条件が満たされたときに、第１の測定を報告する命令を備え、第２の測定条件は、第１の測定が報告された後に第１の測定条件が変化したことの検出であり、第２の測定条件は、次いで、第２の測定の報告をトリガする。
【００８９】
再び図３を参照すると、システム３００について、図４に関して上記で説明したものなど、本明細書の実施形態は、本明細書の実施形態の機能、アクションおよび／または方法を実行するためのコンピュータプログラムコード３０２と一緒に、システム３００中の１つまたは複数のプロセッサ３０１によって実装され得る。コンピュータプログラムコード３０２はまた、たとえば、システム３００中にロードされているときに本明細書の実施形態を実行するためのコンピュータプログラムコードを担持するデータキャリアの形態のコンピュータプログラム製品として与えられ得る。そのようなキャリアは、たとえばＣＤ  ＲＯＭディスクの形態であり得る。そのようなキャリアは、しかしながら、メモリスティックなど、他のデータキャリアを用いても実現可能である。コンピュータプログラムコード３０２は、さらに、サーバ上の、システム３００にダウンロードするための純粋なプログラムコードとして与えられ得る。システム３００は、無線通信システム１００の他のノードとの通信のための通信ユニット３０３をさらに備え得、システムが、上述のように、無線通信デバイス、たとえばＵＥに無線カバレッジを与えるネットワークノードとして実現されている場合、通信ユニット３０３は、そのような無線通信デバイス、たとえば無線通信デバイス１３０との無線通信のために構成され得る。システム３００は、気付かれているように、１つまたは複数のメモリモジュールを備え得るメモリ３０４をさらに備え得る。メモリ３０４は、たとえば、本明細書の実施形態の前記機能、アクションおよび／または方法を実行するためのアプリケーションまたはプログラム、および／またはそのようなアプリケーションまたはプログラムによって使用される情報を記憶するために使用され得る。コンピュータプログラムコード３０２はメモリ３０４中にダウンロードされ得、および／またはメモリ３０４上に記憶され得る。
【００９０】
したがって、システム３００は、本明細書で説明する方法およびアクション、たとえば、図４に関して上記で説明した方法およびアクションを実行するために与えられ得る。システム３００は、したがって、上記で説明したように、システム３００の前記第１の方法およびアクションを実行するように設定される。したがって、システム３００および／または前記１つまたは複数のプロセッサ３０１および／または通信ユニット３０３は、第１のネットワークノード１１０から無線通信デバイス１３０への前記メッセージの前記送信をトリガするように動作可能であるか、または設定され得る。
【００９１】
図５は、第２の方法の実施形態を概略的に示すフローチャートである。第２の方法は、無線通信ネットワーク、たとえば無線通信ネットワーク１００の第１のネットワークノード、たとえば第１のネットワークノード１１０に無線で接続された無線通信デバイス、たとえば無線通信デバイス１３０によって実行されるべきである。
【００９２】
第２の方法は以下のアクションを備える。
【００９３】
アクション５０１
無線通信デバイス１３０は第１のネットワークノード１１０からメッセージを受信する。メッセージは、無線通信ネットワーク１００のネットワークノード、たとえば、第１のネットワークノード１１０または第２のネットワークノード１２０から無線通信デバイス１３０によって受信された信号に関する、無線通信デバイス１３０による少なくとも１つの測定に関する命令を備える。命令は第１の測定条件と第２の測定条件とを備え、無線通信デバイス１３０が無線通信ネットワーク１００に少なくとも１つの測定を報告するためには、第１の測定条件と第２の測定条件の両方が満たされなければならない。
【００９４】
いくつかの実施形態では、第１の測定条件は第１の測定量、たとえばＲＳＲＰに関し、第２の測定条件は、第１の測定量とは異なる第２の測定量、たとえばＲＳＲＱに関する。
【００９５】
さらに、いくつかの実施形態では、第１の測定条件は第１の参照信号タイプ、たとえばＳＳブロックベースの参照信号に関し、第２の測定条件は、第１の参照信号タイプとは異なる第２の参照信号タイプ、たとえばＣＳＩ  ＲＳに関する。
【００９６】
その上、いくつかの実施形態では、第１の測定条件はセルレベル測定に関し、第２の測定条件は、ビームレベル測定など、ビームレベル測定情報に関する。
【００９７】
さらに、いくつかの実施形態では、命令は、第１の測定条件が満たされたときに、第１の測定を報告する命令を備え、第２の測定条件は、第１の測定が報告された後に第１の測定条件が変化したことの検出であり、第２の測定条件は、次いで、第２の測定の報告をトリガする。
【００９８】
アクション５０２
無線通信デバイス１３０は、ネットワークノードから受信された信号に関する少なくとも１つの測定を実行する。
【００９９】
アクション５０３
無線通信デバイス１３０は、少なくとも１つの測定が第１の測定条件と第２の測定条件とを満たしたかどうかに基づいて、無線通信ネットワーク１００に少なくとも１つの測定を報告する。
【０１００】
上記ですでに示されているように、第１の方法を実行するシステム３００は無線通信ネットワーク１００のネットワークノード、たとえば基地局であり得、第１のネットワークノード１１０であり得る。第１のネットワークノード１１０は、この場合、ＵＥから直接、測定、すなわち報告された測定を受信し得る。代替的に、同じく示されているように、第１の方法を実行するシステム３００は、無線通信デバイス１３０からさらに離れたノード、たとえば、別の基地局など、コアネットワーク中のノードまたは無線アクセスネットワーク中のノードなど、無線通信ネットワーク１００の別のネットワークノードであり得る。この場合、第１のネットワークノード１１０は、システム３００からトリガリングメッセージを受信し得、次いで、これに応答して、命令を備えるメッセージを無線通信デバイス１３０に送信する。同じく上記で示されているように、第１の方法を実行するシステム３００がネットワークノードのグループである場合、方法を実行するための機能は、無線通信ネットワーク１００の、および／または無線通信ネットワーク１００と通信している、異なる物理ノードまたは仮想ノードにわたって広がり得る。後者は、いわゆるクラウド実装と呼ばれ得、および／またはクラウド実装に対応し得る。
【０１０１】
図６は、本明細書の方法およびアクションを実行するために与えられ得る無線通信デバイス１３０の概略ブロック図である。
【０１０２】
無線通信デバイス１３０について、本明細書の実施形態は、本明細書の実施形態の機能、アクションおよび／または方法を実行するためのコンピュータプログラムコード６０２と一緒に、無線通信デバイス１３０中の１つまたは複数のプロセッサ６０１によって実装され得る。コンピュータプログラムコード６０２はまた、たとえば、無線通信デバイス１３０中にロードされているときに本明細書の実施形態を実行するためのコンピュータプログラムコードを担持するデータキャリアの形態のコンピュータプログラム製品として与えられ得る。１つのそのようなキャリアはＣＤ  ＲＯＭディスクの形態であり得る。そのようなキャリアは、しかしながら、メモリスティックなど、他のデータキャリアを用いても実現可能である。コンピュータプログラムコードは、さらに、サーバ上の、無線通信デバイス１３０にダウンロードするための純粋なプログラムコードとして与えられ得る。無線通信デバイス１３０は、第１のネットワークノード１１０との無線通信ための通信ユニット６０３をさらに備え得る。通信ユニット６０３は無線受信機および送信機または無線トランシーバであり得る。無線通信デバイス１３０はメモリ６０４をさらに備え得る。メモリ６０４は、たとえば、本明細書の実施形態の前記機能、アクションおよび／または方法を実行するためのアプリケーションまたはプログラム、および／またはそのようなアプリケーションまたはプログラムによって使用される情報を記憶するために使用され得る。コンピュータプログラムコード６０２はメモリ６０４中にダウンロードされ得、および／またはメモリ６０４上に記憶され得る。
【０１０３】
したがって、無線通信デバイス１３０は、本明細書で説明する方法およびアクション、たとえば、図５に関して上記で説明した方法およびアクションを実行するために与えられ得る。無線通信デバイス１３０は、したがって、上記で説明したように、無線通信デバイス１３０の前記第２の方法およびアクションを実行するように設定される。
【０１０４】
したがって、無線通信デバイス１３０および／または前記１つまたは複数のプロセッサ６０１および／または通信ユニット６０３は、第１のネットワークノード１１０から前記メッセージを受信するように動作可能であるか、または設定され得る。
【０１０５】
さらに、無線通信デバイス１３０および／または前記１つまたは複数のプロセッサ６０１および／または通信ユニット６０３は、前記信号に関する少なくとも１つの測定を実行するように動作可能であるか、または設定され得る。
【０１０６】
その上、無線通信デバイス１３０および／または前記１つまたは複数のプロセッサ６０１および／または通信ユニット６０３は、前記少なくとも１つの測定を無線通信ネットワーク１００、たとえば第１のネットワークノード１１０に報告するように動作可能であるか、または設定され得る。
【０１０７】
すでに示されているように、本明細書の実施形態は、たとえば、ｅＮＢまたはｇＮＢのクラウド実装、ならびに分散型実装のために適用可能である。さらに、本明細書の実施形態は、ネットワークノード、たとえば、ｅＮＢまたはｇＮＢｓと無線通信デバイス、たとえばＵＥの両方に影響を及ぼし得る、測定設定を改善することについてであると見なされ得る。本明細書の実施形態、およびたとえば、従来技術の仕様、ノードおよび／またはデバイスの更新は、特に、モビリティ向上目的、およびネットワークおよび／または無線デバイスのパフォーマンスの改善のためであり得る。
【０１０８】
通信設計および／またはそれの電子実装の当業者によって容易に理解されるように、本明細書で説明する機能、アクションおよび／または方法は、デジタル論理および／または１つまたは複数のマイクロコントローラ、マイクロプロセッサ、または他のデジタルハードウェアを使用して実装され得る。いくつかの実施形態では、本明細書で説明する様々な機能、方法および／またはアクションのうちのいくつかまたはすべてが、単一の特定用途向け集積回路（ＡＳＩＣ）中に、あるいはデバイス間の適切なハードウェアおよび／またはソフトウェアインターフェースをもつ２つまたはそれ以上の別個のデバイス中になど、一緒に実装され得る。機能、方法および／またはアクションのうちのいくつかは、たとえば、無線通信デバイス、システムまたはネットワークノードの他の機能構成要素と共有されるプロセッサ上に実装され得る。
【０１０９】
代替的に、たとえば、処理回路の機能要素のいくつかは専用のハードウェアの使用によって与えられ得るが、他の機能要素は、適切なソフトウェアまたはファームウェアに関連して、ソフトウェアを実行するためのハードウェアを用いて与えられ得る。したがって、本明細書で使用されることがある「プロセッサ」という用語は、ソフトウェアを実行することが可能なハードウェアをもっぱら指すのではなく、限定はしないが、デジタル信号プロセッサ（ＤＳＰ）ハードウェア、ソフトウェアを記憶するための読取り専用メモリ（ＲＯＭ）、ソフトウェアおよび／またはプログラムまたはアプリケーションデータを記憶するためのランダムアクセスメモリ（ＲＡＭ）、および不揮発性メモリを暗黙的に含み得る。従来のおよび／またはカスタムの他のハードウェアも含まれ得る。通信受信機の設計者は、これらの設計選択に固有のコスト、パフォーマンス、および保守のトレードオフを諒解しよう。異なるノードによって取られる異なるアクションは、異なる回路を用いて実装され得る。
【０１１０】
上記のことから、本明細書の実施形態は、少なくとも１つのプロセッサ、たとえばプロセッサ３０３または６０３上で実行されたとき、少なくとも１つのプロセッサに、説明された機能、方法および／またはアクションのいずれかを実行させる命令を備える、コンピュータプログラム製品に関することがあると見られ得る。また、いくつかの実施形態は、上記で説明したように、前記コンピュータプログラムを含むキャリアをさらに備え得、キャリアは、電子信号、光信号、無線信号、またはコンピュータ可読記憶媒体のうちの１つであり得る。
【０１１１】
本明細書の例示的な実施形態の詳細な説明において使用される用語は、添付の図面によって示されているように、システム３００および無線通信デバイス１３０など、説明した方法および構成を限定するものではない。
【０１１２】
本明細書における単数の要素に対する言及は、そのように明示的に述べられていない限り、「唯一の」を意味するものではなく、むしろ「１つまたは複数の」を意味するものである。当業者に知られている、上記で説明した実施形態の要素に対するすべての構造的および機能的な等価物は、参照により本明細書に明確に組み込まれ、本明細書によって包含されるものである。その上、装置または方法は、本明細書によって包含されるために、現在説明している概念によって解決されることが求められるありとあらゆる問題に対処する必要はない。
【０１１３】
例示的な図では、破線は、一般に、破線内の特徴が随意であることを示し得る。
【０１１４】
本明細書の実施形態を実装するためのシステム、ネットワーク、装置、ノード、デバイスなどは、一般に、上記で例示されたよりも多くの構成要素および／または上記で例示された以外の他の構成要素を備え得ることに留意されたい。さらに、本明細書の実施形態の動作、方法およびアクションは、ソフトウェア、ハードウェア、および／または他の論理を備える任意の好適な論理を使用して実行され得る。本書で使用する際、「各」は、セットの各部材またはセットのサブセットの各部材を指す。同様に、本明細書の実施形態について開示されている方法は、示されているよりも多い、少ない、または示されている以外のステップを含み得る。さらに、アクションは任意の好適な順序で実行され得る。
【０１１５】
本明細書の実施形態は上記で説明した実施形態に限定されない。様々な代替、変更および等価物が存在し、上記で説明した実施形態は、添付の特許請求の範囲によって定義される本開示の範囲を限定するものと取られるべきでない。
【図１】
0006963675.tif 000005
【図２】
0006963675.tif 000006
【図３】
0006963675.tif 000007
【図４】
0006963675.tif 000008
【図５】
0006963675.tif 000009
【図６】
0006963675.tif 000010